(57)【要約】【課題】光沢のある金地色や銀地色や暗色地色等の様々の地色をした被カットメディアや被プリントメディアであっても、そのメディア表面に光学式センサにより誤りなく正確に読み取り可能なマークをインクジェットプリンタによりプリントすることのできる、トンボ等のマークのプリント方法を提供する。【解決手段】インクジェットプリンタによりマーク５２をプリントする被カットメディア又は被プリントメディア５０の所定表面部分の周辺表面部分に、マーク５２とその周辺部とのコントラストを高めるためのマーク５２の色とは異なる幅広い地色面５４を、インクジェットプリンタによりプリントする。【選択図】図１
2006212997.tif 000002
【特許請求の範囲】
【請求項１】
インクジェットプリンタによりマークをプリントする被カットメディア又は被プリントメディアの所定表面部分の周辺表面部分に、マークとその周辺部とのコントラストを高めるためのマークの色とは異なる地色面を、インクジェットプリンタによりプリントすることを特徴とするインクジェットプリンタによる読み取り易いマークのプリント方法。
【請求項２】
前記マークが、被カットメディア又は被プリントメディアの位置情報を示すトンボ、又は被カットメディア又は被プリントメディアの種類、品質、価格などの情報を示すコードである請求項１記載のインクジェットプリンタによる読み取り易いマークのプリント方法。
【請求項３】
被カットメディア又は被プリントメディアの所定表面部分に、インクジェットプリンタにより、マークをプリントするプリント手段が備えられたインクジェットプリンタにおいて、
前記プリント手段によりマークをプリントする被カットメディア又は被プリントメディアの所定表面部分の周辺表面部分に、インクジェットプリンタにより、マークとその周辺部とのコントラストを高めるためのマークの色とは異なる地色面をプリントする地色面プリント手段が備えられたことを特徴とするインクジェットプリンタ。
【請求項４】
前記プリント手段がマークを被カットメディア又は被プリントメディアの所定表面部分にプリントするのに伴って、そのマークがプリントされる被カットメディア又は被プリントメディアの所定表面部分の周辺表面部分に、マークの色とは異なる地色面を前記地色面プリント手段によりプリントする制御手段が備えられたことを特徴とする請求項３記載のインクジェットプリンタ。
【請求項５】
前記プリント手段がマークを被カットメディア又は被プリントメディアの所定表面部分にプリントするのに伴って、そのマークがプリントされる被カットメディア又は被プリントメディアの所定表面部分の周辺表面部分に、マークの色とは異なる地色面を前記地色面プリント手段によりプリントするか否かを選択する選択手段が備えられたことを特徴とする請求項３記載のインクジェットプリンタ。
【発明の詳細な説明】
【技術分野】
【０００１】
本発明は、光学センサにより読み取り易いトンボ等のマークを、インクジェットプリンタにより、被カットメディア又は被プリントメディアの所定表面部分にプリントするための、インクジェットプリンタによる読み取り易いマークのプリント方法と、該方法に用いるインクジェットプリンタとに関する。
【背景技術】
【０００２】
図４や図５に示したような、プラテン６０上に搭載されたシート等の被カットメディア５０上方をプラテン６０表面とほぼ平行なＸ−Ｙ方向（図の前後左右方向）に相対的に移動させるキャリッジ４０に担持されたカッター刃２０により、プラテン６０上に搭載された被カットメディア５０を所望のカット線７０に沿ってカットするカッテングプロッタが周知である。
また、図６や図７に示したような、プラテン６０上に搭載されたシート等の被プリントメディア５０上方をプラテン６０表面とほぼ平行なＸ−Ｙ方向（図の前後左右方向）に相対的に移動させるキャリッジ４０に担持されたインクジェットヘッド３０から噴射させるインク滴により、プラテン６０上に搭載された被プリントメディア５０表面に所望の絵図又は／及び文字８０をプリントするインクジェットプリンタが周知である。
さらには、これらのカッテングプロッタ及びインクジェットプリンタの両機能を備えたカッティングプロッタ兼用のインクジェットプリンタも周知である。
これらのカッテングプロッタやインクジェットプリンタには、図４と図６に示したような、ほぼ蒲鉾状をした横長のプラテン６０上を被カットメディア５０又は被プリントメディア５０をＸ方向に移動させたり、キャリッジ４０に担持されたカッター刃２０やインクジェットヘッド３０をプラテン６０上方をＹ方向に移動させたりして、それらのカッター刃２０やインクジェットヘッド３０をプラテン６０上に搭載された被カットメディア５０又は被プリントメディア５０上方をＸ−Ｙ方向に相対的に移動させる縦型のカッティングプロッタ又は縦型のインクジェットプリンタと呼ばれるものと、図５と図７に示したような、幅広いベッド状をしたプラテン６０上に搭載された被カットメディア５０又は被プリントメディア５０上方をキャリッジ４０に担持されたカッター刃２０やインクジェットヘッド３０をＸ−Ｙ方向に移動させる横型のカッティングプロッタ又は横型のインクジェットプリンタと呼ばれるものとがある。
【０００３】
これらのカッテングプロッタやインクジェットプリンタには、図４ないし図７に示されたような、そのプラテン６０上に搭載された被カットメディア５０や被プリントメディア５０の表面隅部にプリントされた位置情報を示すマーク５２を、図８に示したような、キャリッジ４０に装備された光学式センサ４２により読み取っている。位置情報用のマーク５２は、通常、トンボと呼ばれていて、Ｌ字状、十字状又は円形状（図４等では、Ｌ字状をしている）等をしている。光学式センサ４２は、例えば、発光ダイオード等の発光素子４４とフォトセンサ等の受光素子４６とが組み合わされて形成されていて、キャリッジ４０を被カットメディア５０や被プリントメディア５０表面のマーク５２がプリントされた箇所及びその周辺部上方を移動させながら、そのキャリッジ４０に装備された光学式センサの発光素子４４から発せられる光を、被カットメディア５０や被プリントメディア５０のマーク５２がプリントされた箇所表面及びその周辺部表面に照射する構造をしている。そして、その光を、被カットメディア５０や被プリントメディア５０のマーク５２がプリントされた箇所表面及びその周辺部表面で反射させて、受光素子４６に受ける構造をしている。そして、その受光素子４６が受ける光量を、オペアンプにより増幅して、コンパレータにより、Ｈ（１）又はＬ（０）の２値に、Ａ／Ｄ変換している。そして、その受光素子４６が受ける光量Ａが、図９に示したように、しきい値Ｒを超えて、Ｈ（１）又はＬ（０）に変化する位置（図９の縦線位置）をＣＰＵ等により検知している。そして、そのＣＰＵ等により検知された位置から、被カットメディア５０や被プリントメディア５０表面にプリントされたマーク５２の位置情報を、読み取っている。
【０００４】
ところで、上記のような構造の光学式センサ４２を用いては、光沢のある金地色や銀地色をした被カットメディア５０や被プリントメディア５０の表面隅部にプリントされた黒色等をしたマーク５２の位置情報を、常に誤りなく容易かつ正確に読み取ることができなかった。
また、黒色に近い暗色の地色をした被カットメディア５０や被プリントメディア５０の表面隅部にプリントされた黒色等をしたマーク５２の位置情報も、上記のような構造の光学式センサ４２を用いては、常に誤りなく容易かつ正確に読み取ることができなかった。
その理由は、その光学式センサの発光素子４４から発せられた光を、上記のような光沢のある金地色や銀地色や暗色の地色をした被カットメディア５０や被プリントメディア５０のマーク５２がプリントされた箇所表面及びその周辺部表面で反射させて、受光素子４６に受けた場合には、その黒色等をしたマーク５２がプリントされた箇所表面と、その周辺の被カットメディア５０や被プリントメディア５０の地色が露出した表面部分とにおける、受光素子４６が受ける光量Ａが、図１０（ａ）、（ｂ）に示したように、しきい値Ｒを越えて、Ｈ（１）、Ｌ（０）に上下に大きく変化せずに、しきい値Ｒ上方に留まってＨ（１）の状態を保持し続けたり、逆にしきい値Ｒ下方に留まってＬ（０）の状態を保持し続けたりするからである。その結果、その被カットメディア５０や被プリントメディア５０表面にプリントされたマーク５２の位置情報を、光学式センサ４２により検知できなくなるからである。
【０００５】
このような課題を解消する方法としては、例えば、特開平０５−１５１９１３号公報に開示され方法がある。この方法は、マークがプリントされる下地層が持つ地色に対して、良好なコントラストを示すインクを用いて、その下地層表面にマークをプリントする方法である。
【特許文献１】特開平０５−１５１９１３公報
【発明の開示】
【発明が解決しようとする課題】
【０００６】
しかしながら、上記の方法は、下地層の地色が様々に変化する度毎に、その下地層の持つ地色に対して良好なコントラストを示すインクを、多大な手数と時間を掛かて見つけ出す面倒な作業が必要であった。また、マークを４〜６色等の少ない種類のインク色しか持たないインクジェットプリンタによりプリントする場合には、その下地層の持つ様々の地色に対して良好なコントラストを示すマークプリント用の適切な色のインクを選定できない場合があった。そのために、その地色が露出した下地層表面にプリントされるマークを、光学式センサにより常に誤りなく正確に読み取ることができなかった。
【０００７】
本発明は、このような課題を解消するためになされたもので、光沢のある金地色や銀地色や暗色地色等の様々の地色をした被カットメディアや被プリントメディアであっても、そのメディアの持つ地色の種類や状態に左右されることなく、そのメディア表面にインクジェットプリンタによりプリントされた黒色等のマークを、光学式センサにより常に誤りなく正確に読み取り可能とする、インクジェットプリンタによる読み取り易いマークのプリント方法（以下、マークのプリント方法という）と、該方法に用いるインクジェットプリンタとを提供することを目的としている。
【課題を解決するための手段】
【０００８】
このような目的を達成するために、本発明のマークのプリント方法は、インクジェットプリンタによりマークをプリントする被カットメディア又は被プリントメディアの所定表面部分の周辺表面部分に、マークとその周辺部とのコントラストを高めるためのマークの色とは異なる地色面を、インクジェットプリンタによりプリントすることを特徴としている。
【０００９】
このマークのプリント方法によれば、被カットメディア又は被プリントメディアの持つ地色に左右されることなく、その被カットメディア又は被プリントメディアの所定表面部分にインクジェットプリンタによりプリントされるマークの周辺表面部分に、マークとその周辺部表面とのコントラストを高めるためのマークの色とは異なる地色面をインクジェットプリンタによりプリント形成できる。
具体的には、マークを例えば黒色でプリントする場合には、そのマークの周辺部表面の地色面を、黒色とは明暗差の大きい赤色又は白色等とすることができる。
そして、被カットメディアや被プリントメディアが光沢のある金地色や銀地色や暗色地色等の様々の地色をしていても、それらのメディアの持つ地色の種類や状態に左右されることなく、そのメディアの所定表面部分にプリントされる黒色等のマークとその周辺部の地色面とのコントラストを確実に高めることができる。
その際には、マークを所定色の例えば黒色でプリントすると規定しておくことにより、そのマークの周辺部表面に形成する地色面の色を、被カットメディア又は被プリントメディアの持つ様々の地色に関係なく、マークの黒色等とは明暗差の大きい赤色又は白色等に統一できる。そして、被カットメディアや被プリントメディアの所定表面部分にマークを、インクジェットプリンタにより容易かつ迅速にプリントしたり、そのメディアの所定表面部分にプリントされるマークの周辺部表面にマークとその周辺部とのコントラストを高めるための地色面を、該地色面の色を選定することなく、インクジェットプリンタにより、容易かつ迅速にプリントしたりできる。
その結果、様々な種類の被カットメディア又は被プリントメディアの所定表面部分に、光学式センサにより常に誤りなく正確に読み取り可能な、位置情報用のマークを、汎用のインクジェットプリンタにより、手数を掛けずに容易かつ迅速にプリント形成可能となる。
【００１０】
本発明のマークのプリント方法においては、その被カットメディア又は被プリントメディアの所定表面部分にプリントされるマークが、位置情報を示すトンボではなくて、被カットメディア又は被プリントメディアの種類、品質、価格などの情報を示す、バーコード等の１次元コードや２次元コードであっても、良い。
その場合にも、被カットメディア又は被プリントメディアの持つ地色に左右されることなく、その被カットメディア又は被プリントメディアの所定表面部分にインクジェットプリンタによりプリントされる黒色等をした１次元コードや２次元コードのマークの周辺表面部分に、マークの色とは異なる赤色又は白色等の地色面であって、マークとその周辺部表面とのコントラストを高めるための地色面を、インクジェットプリンタによりプリント形成できる。
その際には、１次元コードや２次元コードのマークを所定色の例えば黒色でプリントすると規定しておくことにより、そのマークの周辺表面部分に形成する地色面の色を、被カットメディア又は被プリントメディアの持つ様々の地色に関係なく、マークの黒色とは明暗差の大きい赤色又は白色等に統一できる。そして、被カットメディアや被プリントメディアの所定表面部分に１次元コードや２次元コードのマークを、インクジェットプリンタにより容易かつ迅速にプリントしたり、そのマーク周辺部のメディア表面にマークとその周辺部とのコントラストを高めるための地色面を、該地色面の色の選定をすることなく、インクジェットプリンタにより、容易かつ迅速にプリントしたりできる。
その結果、様々な種類の被カットメディア又は被プリントメディアの所定表面部分に、光学式センサにより常に誤りなく正確に読み取り可能な、様々な種類の情報を示す１次元コードや２次元コードのマークを、汎用のインクジェットプリンタにより、手数を掛けずに容易かつ迅速にプリント形成可能となる。
【００１１】
また、前記目的を達成するために、本発明のインクジェットプリンタは、被カットメディア又は被プリントメディアの所定表面部分に、インクジェットプリンタにより、マークをプリントするプリント手段が備えられたインクジェットプリンタにおいて、
前記プリント手段によりマークをプリントする被カットメディア又は被プリントメディアの所定表面部分の周辺表面部分に、インクジェットプリンタにより、マークとその周辺部とのコントラストを高めるためマークの色とは異なる地色面をプリントする地色面プリント手段が備えられたことを特徴としている。
【００１２】
このインクジェットプリンタによれば、該プリンタのプリント手段が被カットメディア又は被プリントメディアの所定表面部分にマークをプリントするのと同時に、又はそのマークをメディアの所定表面部分にプリントするのに前後して、そのメディアのマークがプリントされる所定表面部分の周辺表面部分に、インクジェットプリンタの地色面プリント手段により、黒色等をしたマークの色とは異なる地色面であって、マークとその周辺部とのコントラストを高めるための赤色又は白色等をした地色面を、プリント形成できる。
そして、本発明のマークのプリント方法を実施できる。
【００１３】
このインクジェットプリンタにおいては、インクジェットプリンタのプリント手段がマークを被カットメディア又は被プリントメディアの所定表面部分にプリントするのに伴って、そのマークがプリントされる被カットメディア又は被プリントメディアの所定表面部分の周辺表面部分に、マークの色とは異なる地色面を、インクジェットプリンタの地色面プリント手段により、プリントする制御手段が備えられた構造とすると良い。
そうした場合には、インクジェットプリンタのプリント手段がマークを被カットメディア又は被プリントメディアの所定表面部分にプリントするのと同時に、又はそのマークをメディアの所定表面部分にプリントするのに前後して、制御手段を用いて、その黒色等をしたマークがプリントされるメディアの所定表面部分の周辺表面部分に、黒色等をしたマークとその周辺部とのコントラストを高めるための赤色又は白色等をした地色面を、インクジェットプリンタの地色面プリント手段により、自動プリント可能となる。
【００１４】
このインクジェットプリンタにおいては、インクジェットプリンタのプリント手段がマークを被カットメディア又は被プリントメディアの所定表面部分にプリントするのに伴って、そのマークがプリントされる被カットメディア又は被プリントメディアの所定表面部分の周辺表面部分に、マークの色とは異なる地色面を、インクジェットプリンタの地色面プリント手段により、プリントするか否かを選択する選択手段が備えられた構造としても良い。
そうした場合には、インクジェットプリンタのプリント手段がマークを被カットメディア又は被プリントメディアの所定表面部分にプリントするのと同時に、又はそのマークをメディアの所定表面部分にプリントするのに前後して、選択手段を操作して、そのマークがプリントされるメディアの所定表面部分の周辺表面部分に、マークの色とは異なる地色面を、インクジェットプリンタの地色面プリント手段により、プリントしたり、又はプリントするのを停止したりできる。そして、被カットメディア又は被プリントメディアの地色が、黒色等をしたマークとその周辺部とのコントラストを高める必要のない赤色又は白色等をしている場合に、そのマーク周辺部のメディア表面に、インクジェットプリンタの地色面プリント手段により、更に赤色又は白色等をした地色面をプリント形成する無駄をなくすことが可能となる。逆に、被カットメディア又は被プリントメディアの地色が、黒色等をしたマークとその周辺部とのコントラストを高める必要のある光沢のある金地色、銀地色又は暗色等をしている場合には、そのマーク周辺部のメディア表面に、インクジェットプリンタの地色面プリント手段により、黒色等をしたマークとその周辺部とのコントラストを高めるための赤色又は白色等をした地色面をプリント形成可能となる。
【発明の効果】
【００１５】
以上説明したように、本発明のマークのプリント方法によれば、被カットメディアや被プリントメディアが、光沢のある金色、銀色等をしたり、黒色等の暗色の地色をしたりしていても、それらのメディアの所定表面部分に、メディアの地色の種類に関係なく、光学式センサにより常に誤りなく正確に読み取り可能な、位置情報用のトンボ等のマークを、汎用のインクジェットプリンタにより、手数を掛けずに容易かつ迅速にプリント形成可能となる。
また、本発明のインクジェットプリンタによれば、本発明の読み取り易いマークのプリント方法を容易かつ的確に実施するための、インクジェットプリンタを提供可能となる。
【発明を実施するための最良の形態】
【００１６】
図１は本発明のマークのプリント方法の好適な実施の形態を示し、図１はそのプリント方法によりプリントされた被カットメディア又は被プリントメディアの平面図である。以下に、このマークのプリント方法を説明する。
【００１７】
このマークのプリント方法では、図６又は図７に示した、前述の縦型又は横型のインクジェットプリンタのインクジェットヘッド３０から噴射させたインク滴により、複数のインクのドットの配列からなるマーク５２をプリントする被カットメディア５０又は被プリントメディア５０の隅部の所定表面部分の周辺表面部分に、黒色等をしたマーク５２の色とは異なる赤色又は白色等をした複数のインクのドットの配列からなる地色面５４であって、マーク５２とその周辺部とのコントラストを高めるための太幅のほぼＬ字状をした地色面５４を、前述の縦型又は横型のインクジェットプリンタのインクジェットヘッド３０から噴射させたインク滴により、プリントしている。地色面５４は、マーク５２と同時に、又はマーク５２よりも先か後に、被カットメディア５０又は被プリントメディア５０の隅部のマーク５２をプリントする所定表面部分の周辺表面部分にプリントしている。
【００１８】
図１に示した、マークのプリント方法は、以上のステップからなっていて、このマークのプリント方法によれば、被カットメディア５０又は被プリントメディア５０が光沢のある金色又は銀色や暗色の地色をしていても、その地色に左右されることなく、その被カットメディア５０又は被プリントメディア５０の隅部の所定表面部分に、前述の縦型又は横型のインクジェットプリンタのインクジェットヘッド３０から噴射させたインク滴によりプリントされる複数のインクのドットの配列からなるマーク５２の周辺表面部分に、黒色等をしたマーク５２の色とは異なる赤色又は白色等をした複数のインクのドットの配列からなる幅広い地色面５４を、前述の縦型又は横型のインクジェットプリンタのインクジェットヘッド３０から噴射させたインク滴によりプリント形成できる。そして、そのマーク５２の周辺部表面に、黒色等をしたマーク５２とその周辺部表面とのコントラストを高めるための赤色又は白色等をした地色面５４を形成できる。
その際には、マーク５２を所定色の例えば黒色でプリントすると規定しておくことにより、そのマーク５２の周辺部表面に形成する地色面５４の色を、マーク５２の黒色とは明暗差の大きい赤色又は白色等に統一できる。そして、被カットメディア５０や被プリントメディア５０の所定表面部分にマーク５２を、インクジェットプリンタにより容易かつ迅速にプリントしたり、そのメディア５０の所定表面部分にプリントされるマーク５２の周辺部表面にマーク５２とその周辺部とのコントラストを高めるための幅広い地色面５４を、該地色面の色の選定を行うことなく、インクジェットプリンタにより、容易かつ迅速にプリント形成したりできる。
その結果、その被カットメディア５０又は被プリントメディア５０の所定表面部分に、光学式センサ４２により常に誤りなく正確に読み取り可能な、位置情報用のマーク５２を、汎用のインクジェットプリンタにより、手数を掛けずに容易かつ迅速にプリント形成可能となる。
【００１９】
図１に示した、マークのプリント方法においては、その被カットメディア５０又は被プリントメディア５０の所定表面部分にプリントされるマーク５２が、位置情報を示すトンボではなくて、被カットメディア５０又は被プリントメディア５０の種類、品質、価格などの様々の情報を示す、バーコード等の１次元コードや２次元コード（平面コード）であっても、良い。
その場合にも、その被カットメディア５０又は被プリントメディア５０の所定表面部分にインクジェットプリンタによりプリントされる黒色等をした１次元コードや２次元コードのマーク５２の周辺表面部分に、マーク５２の色とは異なる赤色又は白色等の地色面５４であって、マーク５２とその周辺部表面とのコントラストを高めるための地色面５４を、インクジェットプリンタによりプリント形成できる。
その際にも、１次元コードや２次元コードのマーク５２を所定色の例えば黒色でプリントすると規定しておくことにより、そのマーク５２の周辺部表面に形成する地色面５４の色を、マークの黒色とは明暗差の大きい赤色又は白色等に統一できる。そして、その被カットメディア５０や被プリントメディア５０の所定表面部分に１次元コードや２次元コードのマーク５２を、インクジェットプリンタにより、容易かつ迅速にプリントしたり、そのマーク５２周辺部のメディア５０表面にマーク５２とその周辺部とのコントラストを高めるための形成する地色面５４を、該地色面の色を選定することなく、インクジェットプリンタにより、容易かつ迅速にプリント形成したりできる。
その結果、その被カットメディア５０又は被プリントメディア５０の所定表面部分に、光学式センサ４２により常に誤りなく正確に読み取り可能な、様々な情報を示す１次元コードや２次元コードのマーク５２を、汎用のインクジェットプリンタにより、手数を掛けずに容易かつ迅速にプリント形成可能となる。
【００２０】
図２は本発明のインクジェットプリンタの好適な実施の形態を示し、図２はその概略構造説明図である。以下に、このインクジェットプリンタを説明する。
【００２１】
このインクジェットプリンタには、被カットメディア５０又は被プリントメディア５０の隅部等の所定表面部分に、位置決め用などのマーク５２をプリントするプリント手段９０が備えられている。プリント手段９０は、インクジェットヘッド３０と、該ヘッドをプラテン６０上方をＸ−Ｙ方向に相対的に移動させる移動手段と、該手段によりプラテン６０上方をＸ−Ｙ方向に相対的に移動させるインクジェットヘッド３０からシアン（青）、マゼンタ（赤）、ブラック（黒）等のインク滴をプラテン６０上に搭載された被カットメディア５０又は被プリントメディア５０表面に向けて所定のタイミングで噴射させる電子回路等から構成されている。
また、プリント手段９０によりマーク５２をプリントする被カットメディア５０又は被プリントメディア５０の所定表面部分の周辺表面部分に、インクジェットプリンタのインクジェットヘッド３０から噴射させるインク滴により、黒色等をしたマーク５２の色とは異なる赤色又は白色等をした地色面５４であって、マーク５２とその周辺部とのコントラストを高めるための複数のインクのドットの配列からなる太幅のほぼＬ字状、ほぼ方形状、円形状（図２では、太幅のほぼＬ字状としている）等をした地色面５４をプリントする地色面プリント手段９２が備えられている。地色面プリント手段９２は、インクジェットヘッド３０をプラテン６０上に搭載された被カットメディア５０又は被プリントメディア５０上方をプラテン６０表面とほぼ平行なＸ−Ｙ方向に相対的に移動させる移動手段と、該手段により被カットメディア５０又は被プリントメディア５０上方をＸ−Ｙ方向に相対的に移動させるインクジェットヘッド３０から赤色又は白色等をしたインク滴を被カットメディア５０又は被プリントメディア５０表面に向けて所定のタイミングで噴射させる電子回路等から構成されている。
【００２２】
図２に示したインクジェットプリンタは、以上のように構成されていて、このインクジェットプリンタによれば、該プリンタのプリント手段９０が被カットメディア５０又は被プリントメディア５０の所定表面部分にマーク５２をプリントするのと同時に、又はそのマーク５２をメディア５０の所定表面部分にプリントするのに前後して、そのマーク５２がプリントされるメディア５０の所定表面部分の周辺表面部分に、インクジェットプリンタの地色面プリント手段９２により、黒色等をしたマーク５２の色とは異なる地色面５４であって、マーク５２とその周辺部とのコントラストを高めるための複数のインクのドットの配列からなる赤色又は白色等をした太幅のほぼＬ字状等をした地色面５４をプリントできる。
そして、図１に示した前述のマークのプリント方法を実施できる。
【００２３】
このインクジェットプリンタにおいては、図２に示したように、該プリンタのプリント手段９０がマーク５２を被カットメディア５０又は被プリントメディア５０の所定表面部分にプリントするのに伴って、そのマーク５２がプリントされる被カットメディア５０又は被プリントメディア５０の所定表面部分の周辺表面部分に、黒色等をしたマーク５２の色とは異なる赤色又は白色等をした地色面５４を、インクジェットプリンタの地色面プリント手段９２により、マーク５２周辺部にプリントする制御手段９３が備えられた構造とすると良い。制御手段９３は、電子回路等から構成すると良い。
そして、プリント手段９２がマーク５２を被カットメディア５０又は被プリントメディア５０の所定表面部分にプリントするのと同時に、又はそのマーク５２を被カットメディア５０又は被プリントメディア５０の所定表面部分にプリントするのに前後して、制御手段９３を用いて、その黒色等をしたマーク５２がプリントされるメディア５０の所定表面部分の周辺表面部分に、マーク５２とその周辺部とのコントラストを高めるための赤色又は白色等をした地色面５４を、インクジェットプリンタの地色面プリント手段９２により自動プリントできる構造とすると良い。
【００２４】
このインクジェットプリンタにおいては、図３に示したように、該プリンタのプリント手段９０がマーク５２を被カットメディア５０又は被プリントメディア５０の所定表面部分にプリントするのに伴って、そのマーク５２がプリントされる被カットメディア５０又は被プリントメディア５０の所定表面部分の周辺表面部分に、黒色等をしたマーク５２の色とは異なる赤色又は白色等をした地色面５４を、インクジェットプリンタの地色面プリント手段９２により、プリントするか否かを選択する選択手段９４が備えられた構造としても良い。選択手段９４は、電子回路等から構成すると良い。
そして、プリント手段９０がマーク５２を被カットメディア５０又は被プリントメディア５０の所定表面部分にプリントするのと同時に、又はそのマーク５２をメディア５０の所定表面部分にプリントするのに前後して、選択手段９４を操作して、そのマーク５２がプリントされるメディア５０の所定表面部分の周辺表面部分に、黒色等をしたマーク５２の色とは異なる赤色又は白色等をした地色面５４を、インクジェットプリンタの地色面プリント手段９２により、プリントしたり、又はプリントするのを停止したりできる構造としても良い。そして、被カットメディア５０又は被プリントメディア５０の地色が、黒色等をしたマーク５２とその周辺部とのコントラストを高める必要のない赤色又は白色等をしている場合に、そのマーク５２周辺部のメディア５０表面に、インクジェットプリンタの地色面プリント手段９２により、更に赤色又は白色等をした地色面５４をプリント形成する無駄をなくせる構造としても良い。逆に、被カットメディア５０又は被プリントメディア５０の地色が、黒色等をしたマーク５２とその周辺部とのコントラストを高める必要のある光沢のある金地色、銀地色又は暗色等をしている場合には、そのマーク５２周辺部のメディア５０表面に、インクジェットプリンタの地色面プリント手段９２により、黒色等をしたマーク５２とその周辺部とのコントラストを高めるための赤色又は白色等をした地色面５４をプリント形成できる構造としても良い。
【００２５】
図２及び図３に示したインクジェットプリンタは、前述の縦型のインクジェットプリンタを用いて構成されているが、本発明のインクジェットプリンタは、幅広いベッド状をしたプラテン６０を備えた前述の横型のインクジェットプリンタ、カッティングプロッタの機能を兼ね備えた前述の縦型又は横型のインクジェットプリンタを用いて構成することも、可能である。
【産業上の利用可能性】
【００２６】
本発明のマークのプリント方法は、前述の縦型及び横型のインクジェットプリンタやカッティングプロッタを兼ねたインクジェットプリンタを用いて被カットメディアや被プリントメディア表面に光学式センサにより読み取り易い位置決め用のトンボ等のマークや様々の情報を示すバーコード等のマークをプリントする場合に、広く利用可能である。
本発明のインクジェットプリンタは、本発明のマークのプリント方法により被カットメディアや被プリントメディア表面に光学式センサにより読み取り易い位置決め用のトンボ等のマークや様々の情報を示すバーコード等のマークをプリントするための、前述の縦型及び横型のインクジェットプリンタやカッティングプロッタを兼ねたインクジェットプリンタに、広く利用可能である。
【図面の簡単な説明】
【００２７】
【図１】本発明のマークのプリント方法の説明図である。
【図２】本発明のインクジェットプリンタの概略構造説明図である。
【図３】本発明のインクジェットプリンタの概略構造説明図である。
【図４】縦型のカッテングプロッタの概略構造説明図である。
【図５】横型のカッテングプロッタの概略構造説明図である。
【図６】縦型のインクジェットプリンタの概略構造説明図である。
【図７】横型のインクジェットプリンタの概略構造説明図である。
【図８】光学式センサが備えられたインクジェットプリンタ周辺部分の拡大構造説明図である。
【図９】マークの位置認識説明図である。
【図１０】マークの位置認識説明図である。
【符号の説明】
【００２８】
２０  カッター刃
３０  インクジェットヘッド
４０  キャリッジ
４２  光学式センサ
４４  発光素子
４６  受光素子
５０  被カットメディア又は被プリントメディア
５２  マーク
５４  地色面
６０  プラテン
７０  カット線
８０  絵図又は／及び文字
９０  プリント手段
９２  地色面プリント手段
９３  制御手段
９４  選択手段
【図１】
2006212997.tif 000003
【図２】
2006212997.tif 000004
【図３】
2006212997.tif 000005
【図４】
2006212997.tif 000006
【図５】
2006212997.tif 000007
【図６】
2006212997.tif 000008
【図７】
2006212997.tif 000009
【図８】
2006212997.tif 000010
【図９】
2006212997.tif 000011
【図１０】
2006212997.tif 000012